(57)【要約】  本発明は建造の分野に関し、一時的で（移動可能で）様々な目的を意図する迅速に据え付けることができる構造の設計に使用され得る。迅速に据え付けることができる構造であって、大きな領域及び小さな領域の少なくとも２つの好ましくは柔軟な半球状の殻を備え、１つの殻が他方の内側に、それぞれ位置し、気体室を形成するために半球の周囲を囲む底で互いに接続されており、その内部に枠が位置し、希薄手段により気体の希薄状態が前記気体室で作られる。加えて、本構造は、前記大きな領域の殻の最上部に位置し、半球の周囲を囲む底で接続される柔軟な外側殻を備え、付加的な気体室を形成し、大気圧より高い気体の過圧状態が、前記希薄手段により付加的な気体室の内側で作られる。これらの気体室における過圧値と気体の希薄値との間の差が２０％以下である。【選択図】図３
2019525033.tif 000002
【特許請求の範囲】
【請求項１】
付加的な外部保護を有し迅速に据え付けることができる構造であって、大きな領域及び小さな領域の少なくとも２つの好ましくは半球状の柔軟な殻を備え、１つの殻が他方の内側に、それぞれ位置し、気体室を形成するために半球の周囲を囲む底で互いに接続されており、大きな領域の殻の形状に従う枠が位置し、前記気体室と連結された吸引口を有する希薄手段により気体の希薄状態が前記気体室で作られ、大きな領域の殻の表面が、希薄状態の下で枠の外側面ときつく連結され、前記気体室を大きな領域及び小さな領域の殻の表面により限定するために、小さな領域の殻の表面が、希薄状態の下で枠の内側面から離れて位置しており、更に、前記大きな領域の殻の最上部に位置し、半球の周囲を囲む底で接続される柔軟な外側殻を備え、大きな領域の殻の外側面及び外側殻の内側面により限定される付加的な気体室を形成し、大気圧より高い気体の過圧状態が、付加的な気体室の内側の空間と連結された排出口を有する前記希薄手段により付加的な気体室の内側で作られ、付加的な気体室の過圧値と、大きな領域及び小さな領域の殻の間の気体室での気体の希薄値と、の間の差が２０％を超えないものである構造。
【請求項２】
請求項１に記載の構造であって、付加的な気体室への気体供給手段を更に備えている構造。
【請求項３】
請求項１に記載の構造であって、付加的な気体室からの気体排出手段を更に備えている構造。
【請求項４】
請求項２又は３に記載の構造であって、前記気体室で気体の希薄状態を作り付加的な気体室で過圧状態を作るためであって、希薄手段及び付加的な気体室への気体供給手段及び／又は付加的な気体室からの気体排出手段と連結された、同時性を持たせる手段を更に備えている構造。
【請求項５】
請求項４に記載の構造であって、前記同時性を持たせる手段が、希薄手段及び付加的な気体室への気体供給手段及び／又は付加的な気体室からの気体排出手段のためのパワー制御手段を備えている構造。
【請求項６】
請求項２〜５のうちいずれか一項に記載の構造であって、空気が気体として用いられる構造。
【請求項７】
請求項６に記載の構造であって、大きな領域及び小さな領域の殻の間の気体室では少なくとも２５０Ｐａの空気の希薄状態が作られる構造。
【請求項８】
請求項１に記載の構造であって、その表面領域が互いに隣接する多角形の輪郭の領域により形成される測地線の枠であって半球の直径に沿った下側端を備えるものが枠として用いられる構造。
【請求項９】
請求項８に記載の構造であって、測地線の枠が互いに隣接する多角形の輪郭の集合体を形成するための接続要素により互いに接続される棒により形成される構造。
【請求項１０】
請求項８に記載の構造であって、測地線の枠がその周りを囲み枠の底の端に同心で位置するリング要素を備え、小さな領域の殻の下側部分がリング要素を囲み被せられ取りはずせる接続で大きな領域の殻の下側部分に取り付けられる構造。
【請求項１１】
請求項８に記載の構造であって、測地線の枠がその周りを囲み枠の底の端に同心で位置するリング要素を備え、大きな領域の殻の下側部分がリング要素を囲み被せられ取りはずせる接続で小さな領域の殻の下側部分に取り付けられる構造。
【請求項１２】
請求項８に記載の構造であって、測地線の枠の下側端がリング要素の外側及び内側の側面を形成するように矩形断面のリング要素として設計され、リング要素の外側面が、大きな領域の殻の下側部分と取りはずせる接続により接続され、リング要素の内側面が、小さな領域の殻の下側部分と取りはずせる接続により接続される構造。
【請求項１３】
請求項１０〜１２のうちいずれか一項に記載の構造であって、外側殻が取りはずせる接続により大きな領域の殻に接続されている構造。
【請求項１４】
請求項１に記載の構造であって、光反射層を有するスクリーンが小さな領域の殻として用いられている構造。
【請求項１５】
請求項１に記載の構造であって、ポンプが希薄手段として用いられている構造。
【請求項１６】
請求項１５に記載の構造であって、ポンプの排出口が測地線の枠の下側端から１〜１．５ｍ以内の高さに位置している構造。
【請求項１７】
請求項１に記載の構造であって、外側殻が６０〜１，０００ｇ／ｍ３以内の密度でポリウレタン膜で覆ったポリエステル又はポリ塩化ビニルで作られている構造。
【発明の詳細な説明】
【技術分野】
【０００１】
本発明は建造の分野に関し、一時的で（移動可能で）迅速な解体に適した、様々な目的、好ましくは、映画館、プラネタリウムのような娯楽や展覧会、コンサート、作業場等他の公共のイベント用の敷設物を意図する、迅速に据え付けることができる構造の設計に使用され得る。
【背景技術】
【０００２】
最も近い先行技術を考慮して、多くの類似の構造が、以下を含み本出願人に対して公知である。
【０００３】
先行技術によると、好ましくは温室に使用される、膨らんだ状態で完全に自立する設計による膨らませることができる敷設構造が開示されている。前記膨らませて自立させる設計により、透明又は半透明の材料により作られる二重壁を有する半球状のドームが形成される。更に、前記設計では外側空間と設計上の内側気体室とを接続する出入口、及び半球状のドームの周りを囲む底の部分にその設計での安定性を提供するために水を充満させる円環を備える（米国特許第６０６１９６９Ａ号明細書、２０００年６月１５日発行）。
【０００４】
先行技術によると、２００８年１２月２５日発行の米国特許出願公開第２００８／３１３９６９ＡＩ号明細書に開示され、その設計として異なる圧力の２つの気体室を用いることにより形成される膨らませることができる敷設構造が開示されている。大気圧より高い圧力の下で流体を充満させた時に、第一の気体室は、特に測地線ドームの形態で、膨らませることができる枠（支持構造）を形成する。前記設計によると、第一の気体室より低い位置にありこれに取り付けられる柔軟なスクリーンが備えられる。第二の気体室は、その内側面に画像を適切に投影できるように柔軟なスクリーンを形作るために、流体を気体室から除去する（気体室で希薄状態を実現するために）ことにより、また、大気圧より低い要求圧力値を提供することでそれを支持することにより、その枠とそのスクリーンとの間に形成される。
【０００５】
先行技術によると、その内側面が画像投影に用いられる半球状の柔軟なスクリーン、及び外部皮膜を備えた迅速に据え付けることができるドーム形状の構造が開示されており、皮膜はスクリーンとこの皮膜との間の気体室を形成するように位置している。敷設物の下側部分に位置するポンプにより、気体室で希薄状態（大気圧より低い圧力）が作られ、中央で逆さまにされたスクリーン面、及び半球状の枠によりその形状が決まる外側のドーム面が形成される。スクリーンの下側部分及び外部皮膜は、それぞれの半球状の枠の部分に直径に沿って取り付けられる（特開２００５−０１７３９８号公報）。
【０００６】
先行技術によると、測地線ドーム又は他の要求形状（ピラミッド型、立方体、その他）の形態で半球状の枠を備え、上側及び下側の２つの皮膜の間に位置して下側の皮膜により分離される２つの気体室を形成する、好ましくは、ドーム形状の画像投影システムが開示されている。内側の気体室は、ドームの頂点の及び周りを囲む位置のファンで上側の気体室から空気を取り除くことにより形成される半球状の形状を有し、半球状の形態の中心点から下側の皮膜の内側面に画像を投影するように設計されている。枠は金属製の棒で形成され得て、その端部は隣接する多角形を形成するように互いに接続されている。このシステムは、上側の気体室から空気が取り除かれる前に、下側の皮膜に半球状の形状を与えるために、内側の気体室にファンを更に備えている。更に、皮膜の内側面で均等に位置するという決められた点において両方の皮膜の内側面で、枠は連結されている。両方の皮膜は、半球状の形状の中央で並行して位置する円形のパイプで互いに接続されている（米国特許第７７９１７９９ＢＩ号明細書、２０１０年９月７日発行）。
【０００７】
提案した解決策に最も近い先行技術は、大きな領域及び小さな領域の少なくとも２つの好ましくは半球状の柔軟な殻を備え、１つの殻が他方の内側に、それぞれ位置し、気体室を形成するために半球の周囲を囲む底で互いに接続されている迅速に据え付けることができるドーム形状の構造であって、大きな領域の殻の形状に従う枠が位置し、前記気体室と連結された吸引口を有する希薄手段により気体の希薄状態が前記気体室で作られ、大きな領域の殻の表面が、希薄状態の下で枠の外側面ときつく連結され、前記気体室を大きな領域及び小さな領域の殻の表面により限定するために、小さな領域の殻の表面が、希薄状態の下で枠の内側面から離れて位置しているものである（ロシア国特許第２４９０３９８ＣＩ号明細書、２０１３年８月２０日発行）。
【先行技術文献】
【特許文献】
【０００８】
【特許文献１】米国特許第６０６１９６９Ａ号明細書
【特許文献２】米国特許出願公開第２００８／３１３９６９ＡＩ号明細書
【特許文献３】特開２００５−０１７３９８号公報
【特許文献４】米国特許第７７９１７９９ＢＩ号明細書
【特許文献５】ロシア国特許第２４９０３９８ＣＩ号明細書
【発明の概要】
【発明が解決しようとする課題】
【０００９】
類似の構造の短所として、原型を含み、第一に、上側の殻（皮膜、フィルム）の全ての表面領域を、特に、大気での降水、風、その他、上側の殻の表面に降りかかり得る外部からの要素である環境への露出から保護する外部保護要素を欠くことがあり、第二に、娯楽のイベントを意図した一時的な構造にとって重要な外側面になんらかの形状を与える手段を欠くことがあり、そして第三に、スクリーンに限定されるが、光反射材料でスクリーンを作ることでのみ提供される画像投影を妨げる日光への露出から、内側の気体室を保護することが、スクリーン、スクリーンが作られる材料、及びスクリーンが枠や上側の殻に取り付けられる方法に対して極めて重大な要求を課すことになる。
【００１０】
本発明の目標は、なんらかの形状を持つ構造の外側面を設計する機会を提供することにより迅速に据え付けることができる構造の設計を改善し、構造の内部要素への付加的な保護を提供し、同時に、最小数の新しい要素を設計に加えることにより上記長所を実現すること、この目的のために先行技術で公知の構造の要素を使用すること、及びこれらを本発明の目標を実現するために加えられた要素と連結すること、を容易にすることである。付加的な目的は本構造の安定性及びその建造の速さを改善することである。
【課題を解決するための手段】
【００１１】
この目標は、迅速に据え付けることができる構造が、大きな領域及び小さな領域の少なくとも２つの好ましくは半球状の柔軟な殻を備え、１つの殻が他方の内側に、それぞれ位置し、半球の周囲を囲む底で互いに接続されており、大きな領域の殻の形状に従う枠が位置し、前記気体室と連結された吸引口を有する希薄手段を用いて気体の希薄状態が前記気体室で作られ、大きな領域の殻の表面が、希薄状態の下で枠の外側面ときつく連結され、前記気体室を大きな領域及び小さな領域の殻の表面により限定するために、小さな領域の殻の表面が、希薄状態の下で枠の内側面から離れて位置しており、本発明によると、前記大きな領域の殻の最上部に位置し、半球の周囲を囲む底で接続される柔軟な外側殻を更に備え、大きな領域の殻の外側面及び外側殻の内側面により限定される付加的な気体室を形成し、大気圧より高い気体の過圧状態が、付加的な気体室の内側の空間と連結された排出口を有する前記希薄手段により付加的な気体室の内側で作られ、付加的な気体室の過圧値と、大きな領域及び小さな領域の殻の間の気体室での気体の希薄値と、の間の差が２０％を超えないものである、として解明される。
【００１２】
本発明の一実施形態によれば、本構造は付加的な気体室への気体供給手段を更に備えていてもよい。
【００１３】
本発明のまた他の実施形態によれば、本構造は付加的な気体室からの気体排出手段を更に備えていてもよい。
【００１４】
本発明の前記実施形態によれば、本構造は、前記気体室で気体の希薄状態を作り付加的な気体室で過圧状態を作るための、希薄手段及び付加的な気体室への気体供給手段及び／又は付加的な気体室からの気体排出手段と連結された、同時性を持たせる手段を更に備えていてもよい。
【００１５】
本発明の前記実施形態においては、前記同時性を持たせる手段は、希薄手段及び付加的な気体室への気体供給手段及び／又は付加的な気体室からの気体排出手段のためのパワー制御手段を備えていてもよい。
【００１６】
本発明の前記実施形態として、空気が好ましくは気体として用いられる。
【００１７】
本発明の前記実施形態として、大きな領域及び小さな領域の殻の間の気体室では、少なくとも２５０Ｐａの空気の希薄状態が作られてもよい。
【００１８】
本発明のまた他の実施形態によれば、その表面領域が互いに隣接する多角形の輪郭の領域により形成される測地線の枠であって半球の直径に沿った下側端を備えるものが、枠として用いられてもよい。
【００１９】
本発明の前記実施形態においては、測地線の枠が、互いに隣接する多角形の輪郭の集合体を形成するための接続要素により互いに接続される棒により形成されてもよい。
【００２０】
更に、本発明の前記実施形態においては、測地線の枠が、その周りを囲み枠の底の端に同心で位置するリング要素を備えていてもよい。この場合、小さな領域の殻の下側部分がリング要素を囲み被せられ、取りはずせる接続で大きな領域の殻の下側部分に取り付けられる。択一的に、大きな領域の殻の下側部分がリング要素を囲み被せられ、取りはずせる接続で小さな領域の殻の下側部分に取り付けられる。
【００２１】
測地線の枠に伴う大きな領域及び小さな領域の殻の接続に関するまた他の実施形態を以下に述べる。測地線の枠の下側端が、リング要素の外側及び内側の側面を形成するように、好ましくは矩形断面のリング要素として設計され、リング要素の外側面が、大きな領域の殻の下側部分と取りはずせる接続により接続され、リング要素の内側面が、小さな領域の殻の下側部分と取りはずせる接続により接続される。
【００２２】
本発明のいずれかの前記実施形態において、外側殻が取りはずせる接続により大きな領域の殻に接続されてもよい。
【００２３】
本発明のまた別の実施形態において、光反射層を有するスクリーンが小さな領域の殻として用いられてもよい。
【００２４】
本発明のまた別の実施形態において、ポンプが希薄手段として用いられてもよい。
【００２５】
本発明の前記実施形態において、ポンプの排出口が測地線の枠の下側端から１〜１．５ｍ以内の高さに位置していてもよい。
【００２６】
本発明のまた別の実施形態においては、外側殻が６０〜１，０００ｇ／ｍ３以内の密度でポリウレタン膜で覆ったポリエステル又はポリ塩化ビニルで作られている。
【００２７】
本発明は、関連する据付け方法を含み、付加的な外部保護を有し迅速に据え付けることができる構造の例示的実施形態により、またこれに関連する以下の図面により示される。
【図面の簡単な説明】
【００２８】
【図１】大きな領域の殻、小さな領域の殻、外側殻及びこれらの間に形成されるそれぞれの気体室を明示するための迅速に据え付けることができる構造の概略の透視図を示すものである。
【図２】図１で示された構造に類似の迅速に据え付けることができる構造の図で、１つの気体室から他への空気流を付加的に表示する概略の透視図を示すものである。
【図３】建造の過程も表示する迅速に据え付けることができる構造の模式的な透視側面図である。
【図４】測地線の枠の下側端の断面図（図３のＡ−Ａ）であって、リング要素の形態での下側端と大きな領域及び小さな領域の殻の下側部分へのその接続の一実施形態を表示するものである。
【発明を実施するための形態】
【００２９】
本明細書で提供される例及び図面は、決して本明細書に添付された特許請求の範囲の限定を意図するものではなく、本質的な特徴及び本発明の本質を説明し、前記特徴に従って本発明を実行する可能性を確認し、本発明の他の可能性がある実施形態を明示するものである。
【００３０】
迅速に据え付けることができる構造は、少なくとも２つの好ましくは半球状の柔軟な殻：大きな領域の殻１、及び小さな領域の殻２と、これらの殻と外側の柔軟な殻４との間の枠３を備える。枠３は大きな領の殻１の形状に従う。光反射層を有するスクリーンが小さな領域の殻２として用いられてもよい。棒５により形成される測地線の枠は、互いに隣接する三角形のような多角形の輪郭の集合体を形成するために接続要素６で互いに接続されるが、枠３となり得る。そのような枠３の表面領域は、全てのこれらの多角形の領域の集合体により形成される。枠３は半球の直径に沿った下側端７を更に備える。枠３は、その周りを囲む枠３の下側端７に同心で位置するリング要素８を更に備えていてもよい。この場合、小さな領域の殻２の下側部分がリング要素８を囲み被せられ、取りはずせる接続で大きな領域の殻１の下側部分に取り付けられ、又は、択一的に、大きな領域の殻１の下側部分がリング要素８を囲み被せられ、取りはずせる接続で小さな領域の殻２の下側部分に取り付けられる。前記取りはずせる接続は、織物の留め具（ベルクロ（登録商標））又はチャックの留め具（ジッパー）又は柔軟な殻１及び２の端を迅速に接続できる他の類似の接続でもよい。大きな領域の殻１の表面に取り付けられる外側殻４の下側部分は、そのような取りはずせる接続でもよい。
【００３１】
また他の実施形態として、枠３の下側端７は、取りはずせる接続要素がそこに固定される（図４）、外側面９及び内側面１０を有するリングの矩形断面の要素として設計されてもよい。この場合、大きな領域の殻１の下側部分が取りはずせる接続で外側面９に取り付けられ、小さな領域の殻２の下側部分が取りはずせる接続で内部側面１０に取り付けられる。
【００３２】
大きな領域の殻１及び小さな領域の殻２がそれぞれ互いの内側に位置し、小さな領域の殻２が大きな領域の殻１の内側に位置することになる。前記殻１及び２が、気体室１１を形成するために前述のような態様で半球の周囲を囲む底で互いに接続されている。気体室１１と連結された吸引口を有する希薄手段であるポンプ１２を用いて、気体（空気）の希薄状態が気体室１１の内側で作られる。ポンプ１２の排出口１３は、枠３の下側端７から１〜１．５ｍ以内の高さに位置している。
【００３３】
大きな領域の殻１の表面が、希薄状態の下で枠３の外側面と堅く連結され、前記気体室を大きな領域の殻１及び小さな領域の殻２の表面により限定するために、小さな領域の殻２の表面が、希薄状態の下で枠３の内側面から可変な距離（半球のアジマス方向でより高く、その端方向に減少して）で位置している。
【００３４】
柔軟な外側殻４が、前記大きな領域の殻１の最上部に位置し、付加的な気体室１４を形成するために半球の周囲を囲むその底で殻と連結される。気体室１４は大きな領域の殻１の外側面及び外側殻４の内側面により限定される。大気圧より高い気体の過圧状態が、付加的な気体室１４の内側の空間と連結された排出口１３で前記ポンプ１２により、付加的な気体室１４の内側で作られる。外側殻４は、例えば、６０〜１，０００ｇ／ｍ３以内の密度でポリウレタン膜で覆ったポリエステルで作られてもよい。
【００３５】
そこで気体室１１の内側で作られる空気の希薄値と、付加的な気体室１４での過圧値と、の間の差が２０％を超えない。特に、空気の希薄状態は気体室１１では少なくとも２５０Ｐａである。
【００３６】
本明細書に開示された構造は、付加的な気体室への気体供給手段、及び／又は付加的な気体室（図示はされない）からの気体排出手段を更に備えていてもよい。付加的な気体室と連結された排出口、及び本構造の外側の空気取入れ口として位置する吸引口を有するポンプ又は一組のポンプが、付加的な気体室への気体供給手段として用いられてもよい。付加的な気体室及び本構造の外側の空間と連結されたポンプ又はバルブ又は一組のポンプ／バルブが、付加的な気体室からの気体排出手段として用いられてもよい。
【００３７】
この場合、前記構造は、前記気体室での気体の希薄状態及び付加的な気体室での過圧状態を提供するための同時性を持たせる手段を更に備えていてもよい（図示はされない）。そのような同時性を持たせる手段は、希薄手段及び付加的な気体室への気体供給手段及び／又は付加的な気体室からの気体排出手段と連結されていて、例えば、同時性を持たせる手段は、希薄状態及び過圧の値についてのデータを取得する手段と同様に、希薄手段及び付加的な気体室への気体供給手段及び／又は付加的な気体室からの気体排出手段のためのパワー制御手段を備えていてもよく、そこで取得したデータを処理し、希薄手段及び付加的な気体室への気体供給手段及び／又は付加的な気体室からの気体排出手段のパワー制御をするための信号を送る。この目的で、同時性を持たせる手段は、希薄手段及び付加的な気体室への気体供給手段及び／又は付加的な気体室からの気体排出手段の関連する制御装置とのインターフェイスのために設計された、関連する機能性を有するソフトウェア及びハードウェアユニットを有していてもよい。
【００３８】
本明細書で開示された迅速に据え付けることができる構造の据付けの選択肢及びその後の使用についてのことが以下記載される。
【００３９】
まず、球状の測地線の枠３が、枠の半球状の表面を形成する互いに接続された多角形の集合体を形成するために、接続要素６で棒５の端を一緒に連結することにより組み立てられる。そのように形成された構造は、好ましくは、矩形形状のいずれかの形状の出入口の形態を備え、これは対応する設計の接続要素及び種々の長さの棒を用いることにより実現され得る。いずれかの断面の輪郭である金属で作られるリング要素８は、例えば、溶接や適切な接続要素の使用により枠３の下側部分に取り付けられる。大きな領域の殻１はそこで枠３の外側面に均等に位置し、その下側部分はリング要素８の後ろに折り重ねられ、枠３の内側に位置させられ得て、そこで小さな領域の殻２下側部分と連結され、前述のような取りはずせる接続又はいずれか他の接続を用いて、スクリーンとして供される。殻１及び２はそれらの底の表面全周を囲み連結される。各殻は測地線の枠３の外側面に類似の態様で連結されてもよい。この目的で、小さな領域の殻すなわちスクリーン２の下側部分リング要素８を囲み取り巻かれ、取りはずせる接続で大きな領域の殻１の下側部分に取り付けられる。択一的に、枠３の下側端７が、側面９及び１０の上に位置する織物の留め具（ベルクロ（登録商標））のような取りはずせる接続の要素を有する、リングの矩形断面の要素（図４）として設計されてもよい。この場合、リング要素８は設置されず、関連する前記取りはずせる接続の部分が位置している、大きな領域の殻１及び小さな領域の殻２が、類似の態様で下側端７のリング要素の側面９及び１０の上で取りはずせる接続の要素と接続される。小さな領域の殻すなわちスクリーン２は枠３の底に自由に位置し、大きな領域１及び小さな領域２の半球状の柔軟な殻及びそれらの間の測地線の枠３により限定される閉じた気体室１１を形成するように、その上に本構造が据え付けられる表面に置かれる。
【００４０】
更に、柔軟な外側殻４が大きな領域の殻１の表面上に均等に位置決めされ、その下側部分が、前述のようなものと類似の取りはずせる接続を用いて、大きな領域の殻１の外側面にその底で取り付けられる。全ての前記殻１、２及び４が互いに取り付けられる時、全ての３つの殻１、２及び４にそれぞれの寸法の開口を作り、前述のように取りはずせる接続で開口の周りを囲むそれらの端を固定することにより、枠３のものと対応する出入口が形成される。
【００４１】
前記閉じた気体室１１は、ポンプ１２の排出口１３を位置させるための少なくとも１つの通し穴の開口を持つと想定される。前記開口は、大きな領域の殻１で測地線の枠の底の端から１〜１．５ｍの高さに作られ得る。ポンプ１２の排出口１３は前記開口に位置させられる。ポンプ１２は、気体室１１の内側にいずれかの公知の方法でそこに供給される動力とともに、特にシールされた端子により、枠１３に据え付けられてもよい。この場合、ポンプ１２の吸引口は前記気体室１１の内側に位置する。
【００４２】
ポンプ１２が駆動されると、気体室１１で例えば希薄状態の大気圧より低い圧力にするために、大きな領域及び小さな領域の殻の間の気体室１１から空気が吸引される。空気が排出されると、気体室１１は大きな領域の殻１及び小さな領域の殻２の表面により限定される形態になる。希薄状態の力の下で、大きな領域の殻１は枠３の表面に対抗して圧力を受け、小さな領域の柔軟な殻すなわちスクリーン２は、希薄状態の力の下で内側に曲げられ半球の形状になる。スクリーン２の表面の形状及び枠３に対するその相対位置は、そうして互いに接続される殻１及び２の結合領域の全領域により決定される。
【００４３】
同時に、ポンプ１２が空気の吸引を開始する時、空気が測地線の枠の上で、大きな領域の殻１の外側面と外側殻４の内側面との間で、枠３の底の端７から１〜１．５ｍの高さの空間に、ポンプ１２の排出口１３を通して供給される。連続した空気の供給により、前述のように、大きな領域及び小さな領域の殻の間で気体室１１が形成され、スクリーン２の表面及び大気圧より高い気体の過圧状態が作られる付加的な気体室１４が形成される。外側殻４が膨らませられ、膨らませられた時に、その表面により決定される形状に従い、特に、球状、凸型の長円形、ピラミッド型、その他の単純な幾何学的な表面、又は、例えば、複雑な波形の表面を形成するいくつかの回転形状のような種々の表面の組合せにより形成されるより複雑な形状を有する形態に従い、そして、例えば、敷設物の目的に関連し得るいずれかの形状の外側面など、高い所に位置するいくつかの凸状体１５（図１、２）が形成される。外側殻４の張った状態は、付加的な気体室１４の内側での過圧状態、及びシステム：「大きな領域の殻１−小さな領域の殻２−測地線の枠３」の互いの間の要素の相互作用を創出することにより、この位置で実現され維持される。
【００４４】
気体室１１及び１４の両方がそのように形成される時、気体室１１の内側の希薄状態及び付加的な気体室１４での過圧状態の両方が保たれる。この目的で、気体室１１の内側の気体の希薄値と、付加的な気体室１４の内側の気体の過圧値と、の間の差が２０％以内に維持される（そのように設計された構造での試験により確認されたように、好ましくは少なくとも２５０Ｐａ）。実験的研究により、スクリーンの表面を形成しこれが張られた状態を保つように要求された小さな領域の殻２の張力を確実にすること、及び、同時に、本構造の外側面を形成するように要求された状態での外側殻４の張力を維持することが必要であることが証明された。希薄状態及び過圧状態の値をこれらの限定内に保つことは、（気体室１１の容積及び付加的な気体室１４の容積がほとんど同じ時）前記ポンプ１２を用いることによってのみ実現され得て、（気体室１１の容積が付加的な気体室１４の容積より小さい時）付加的な気体室への気体供給手段及び／又は付加的な気体室からの気体排出手段を用いることにより実現され得る。付加的な気体室１４に空気を供給することにより、圧力が減少する時要求された過圧値が保たれ、付加的な気体室１４から空気を排出することにより、圧力が過度に増加する時過圧状態が減少する。
付加的な気体室への気体供給手段及び／又は付加的な気体室からの気体排出手段を用いることは、上記の同時性を持たせる手段のハードウェア及びソフトウェアユニットを用いて手動又は自動で操作され得る。後者の場合、ポンプ１２及び付加的な気体室への気体供給手段及び／又は付加的な気体室からの気体排出手段と連結した同時性を持たせる手段は、前記気体室での希薄状態及び過圧状態の値を追跡するのに有用であり、適切なところでは、ポンプ１２及び付加的な気体室への気体供給手段及び／又は付加的な気体室からの気体排出手段への、動力供給又は中断又は再開の操作を調節するのに有用である。
【００４５】
そのように設計される出入口は、回転式のドアや他の類似の機能性手段により閉められ得る。本構造が形成される時、投影機器は、スクリーン２及び、例えば、そのように得られる半球の中央で本構造が据え付けられる表面により限定される容積の内側に位置させられ、画像がスクリーン２の内部の表面に投影される。前記半球は１〜５０メートルの直径を有してもよい。
【００４６】
そのように設計される構造は、ポンプ１２及び付加的な気体室への気体供給手段及び／又は付加的な気体室からの気体排出手段（もしあれば）の操作を中止することにより解体され得て、殻１、２及び４の間の気体室１１及び１４をそれらの初期状態に、例えば気体室１１と１４の両方での圧力を大気圧値以内の値に戻し、枠３からそれぞれの取りはずせる接続について係合をはずし取り除くことにより、殻１、２及び４を互いの連結からはずす。後者は、接続要素６から棒５の端について枠３からリング要素８について接続を取りはずすことにより解体される。この状態で、本構造は保管や他の場所への移動に適したものとなり、引き続いて前述のように据え付けられる。
【００４７】
従って、本明細書に開示された発明の利用によって、特に、外側殻を用いることによる付加的な気体室及び（先行技術で公知の）そのような設備で既に入手できる希薄手段の形態により、外部のあらゆる自然環境への露出から、本構造の上側面の全領域について両方の外部保護が提供され、本構造の外側面に対する形状、特に、本構造の意図された使用により要求されたような形状が与えられ、そしてスクリーンに限定されるが、日光への露出からの内側気体室の特上の保護が提供され、これにより画像投影の品質が改善されスクリーンの製造に用いられる材料に対する要求が軽減される。気体室で作られる希薄状態及び過圧状態の上記比率を固守することで、増加した本構造の安定性及び操作の安定性が提供される。
【００４８】
更に付加的な気体室への気体供給手段及び／又は付加的な気体室からの気体排出手段の応用により、前記気体室の種々の容積での必要な品質を有し、付加的な気体室への空気の供給又は付加的な気体室からの空気の排出を要求する構造の設計に有用である。自動での同時性を持たせる手段、その要素及びその設計での他の要素との接続を用いたこのプロセスの調整により、本構造の使用が容易になる。測地線の枠、特に前述のように形成された枠を用いることは、枠の半球状形状の実現を容易化するのに有用で、更にその安定性及び強度を高めるものである。前述のように殻を互いに連結することは、本構造の据付け及び解体と、スクリーン及び本構造の外側面を形成することを要求された両方の気体室の形態を容易化するのに有用である。
【００４９】
一方で、大きな領域の殻又は小さな領域の殻（前述のような実施形態による）が、リング要素の後ろで折り重ねられる点で、建造物が設置される表面に本構造が動かされ得る場合にその表面と接触する時、摩擦により損傷され得るので、殻を互いに連結するような実施形態には確かな欠点がある。この欠点を取り除くために、枠の設計の一実施形態によると、枠の下側端は横方向の側面を有するリングの矩形断面の要素として設計され、この側面には大きな領域及び小さな領域の殻の下側部分が取りはずせる接続を用いて固定され、リング要素の底面で殻の表面を配置する必要性と、殻のこの表面で摩擦によりきれいな状態が傷付けられることが避けられる。
【００５０】
ポンプの排出口が測地線の枠の下側端から１〜１．５ｍ以内の高さに位置することは、付加的な気体室の内側で、排出口の反対側であって、気体（空気）の放出及び付加的な気体室の全容積に亘る均一な分布のために要求される空の容積の形成に有用である。６０〜１，０００ｇ／ｍ３以内の密度でポリウレタン膜で覆ったポリエステルを用いた外側殻の実施形態は、付加的な気体室の内側で過圧状態により作られる要求された張力に耐えられるような外側殻の強度を高めるのに有用であり、その殻が要求された重量特性を実現することを可能にする。
【図１】
2019525033.tif 000003
【図２】
2019525033.tif 000004
【図３】
2019525033.tif 000005
【図４】
2019525033.tif 000006
【手続補正書】
【提出日】平成29年10月6日(2017.10.6)
【手続補正１】
【補正対象書類名】特許請求の範囲
【補正対象項目名】全文
【補正方法】変更
【補正の内容】
【特許請求の範囲】
【請求項１】
付加的な外部保護を有するドーム形のスクリーンの構造であって、少なくとも２つの好ましくは半球状の柔軟な殻：大きな領域及び光反射層を有し小さな領域の殻として用いられるスクリーンの殻を備え、１つの殻が他方の内側に、それぞれ位置し、気体室を形成するために半球の周囲を囲む底で互いに接続されており、大きな領域の殻の形状に従う枠が位置し、前記気体室と連結された吸引口を有する希薄手段により気体の希薄状態が前記気体室で作られ、大きな領域の殻の表面が、希薄状態の下で枠の外側面ときつく連結され、前記気体室を大きな領域及びスクリーンの殻の表面により限定するために、スクリーンの表面が、希薄状態の下で枠の内側面から離れて位置しており、
更に、前記大きな領域の殻の最上部に位置し、半球の周囲を囲む底で接続される柔軟な外側殻を備え、大きな領域の殻の外側面及び外側殻の内側面により限定される付加的な気体室を形成し、大気圧より高い気体の過圧状態が、付加的な気体室の内側の空間と連結され枠の下側端から１〜１．５ｍ以内の高さに位置している排出口を有する前記希薄手段により付加的な気体室の内側で作られ、付加的な気体室の過圧値と、大きな領域及び小さな領域の殻の間の気体室での気体の希薄値と、の間の差が２０％を超えないものであり、前記気体室で気体の希薄状態を作り付加的な気体室で過圧状態を作るためであって、希薄手段及び付加的な気体室への気体供給手段及び／又は付加的な気体室からの気体排出手段と連結された、同時性を持たせる手段を更に備え、前記同時性を持たせる手段が、希薄手段及び付加的な気体室への気体供給手段及び／又は付加的な気体室からの気体排出手段のためのパワー制御手段を備えるものである構造。
【請求項２】
請求項１に記載の構造であって、付加的な気体室への気体供給手段を更に備えている構造。
【請求項３】
請求項１に記載の構造であって、付加的な気体室からの気体排出手段を更に備えている構造。
【請求項４】
請求項２又は３に記載の構造であって、空気が気体として用いられる構造。
【請求項５】
請求項４に記載の構造であって、大きな領域及びスクリーンの殻の間の気体室では少なくとも２５０Ｐａの空気の希薄状態が作られる構造。
【請求項６】
請求項１に記載の構造であって、その表面領域が互いに隣接する多角形の輪郭の領域により形成される測地線の枠であって半球の直径に沿った下側端を備えるものが枠として用いられる構造。
【請求項７】
請求項６に記載の構造であって、測地線の枠が互いに隣接する多角形の輪郭の集合体を形成するための接続要素により互いに接続される棒により形成される構造。
【請求項８】
請求項６に記載の構造であって、測地線の枠がその周りを囲み枠の底の端に同心で位置するリング要素を備え、スクリーンの殻の下側部分がリング要素を囲み被せられ取りはずせる接続で大きな領域の殻の下側部分に取り付けられる構造。
【請求項９】
請求項６に記載の構造であって、測地線の枠がその周りを囲み枠の底の端に同心で位置するリング要素を備え、大きな領域の殻の下側部分がリング要素を囲み被せられ取りはずせる接続でスクリーンの殻の下側部分に取り付けられる構造。
【請求項１０】
請求項６に記載の構造であって、測地線の枠の下側端がリング要素の外側及び内側の側面を形成するように矩形断面のリング要素として設計され、リング要素の外側面が、大きな領域の殻の下側部分と取りはずせる接続により接続され、リング要素の内側面が、スクリーンの殻の下側部分と取りはずせる接続により接続される構造。
【請求項１１】
請求項８〜１０のうちいずれか一項に記載の構造であって、外側殻が取りはずせる接続により大きな領域の殻に接続されている構造。
【請求項１２】
請求項１に記載の構造であって、ポンプが希薄手段として用いられている構造。
【請求項１３】
請求項１に記載の構造であって、外側殻が６０〜１，０００ｇ／ｍ３以内の密度でポリウレタン膜で覆ったポリエステル又はポリ塩化ビニルで作られている構造。
【国際調査報告】
2019525033.tif 000007
2019525033.tif 000008